(57)【要約】【課題】さまざまな形状の光学フィルタの取付けを可能として、これにより、部品の種類の削減を図り、コストアップを抑制して生産効率を向上させる。【解決手段】撮像素子２と、撮像素子に被写体光を導く光学レンズと、光学レンズと撮像素子の間に配設され、光学レンズを通過した光のうち、可視光を透過させて赤外光をカットする赤外線カットフィルタと、撮像素子を被覆するように配設されたセンサカバー３とを備え、センサカバーには、四角形をなす第１形状のガラス製の赤外線カットフィルタが配置される第１配置部３６と、第１形状とは異なる第２形状の樹脂製の赤外線カットフィルタが配置される第２配置部３５とが形成されている。【選択図】図５
2009164724.tif 000002
【特許請求の範囲】
【請求項１】
撮像素子と、
前記撮像素子に被写体光を導く光学レンズと、
前記光学レンズと前記撮像素子の間に配設され、前記光学レンズを通過した光のうち、少なくとも一部の光を透過させる光学フィルタと、
前記撮像素子を被覆するように配設された外枠部材とを備え、
前記外枠部材には、四角形をなす第１形状の光学フィルタが配置される第１配置部と、前記第１形状とは異なる第２形状の光学フィルタが配置される第２配置部とが形成されていることを特徴とする撮像装置。
【請求項２】
前記第２形状は、多角形の少なくとも一の角部が面取りされた形状であることを特徴とする請求項１に記載の撮像装置。
【請求項３】
前記第２配置部は、内側に前記第２形状の光学フィルタの端部を接触させて当該光学フィルタが配置される壁部を具備し、
前記第１配置部は、前記壁部が前記第１形状の光学フィルタの少なくとも一の角部に合わせて切り欠かれた切欠部を具備し、当該切欠部と前記角部を係合させて前記第１形状の光学フィルタが配置されることを特徴とする請求項１又は２に記載の撮像装置。
【請求項４】
前記第１配置部は、前記第２配置部に対して段差を付けて当該第２配置部よりも前記撮像素子側に配設されていることを特徴とする請求項１又は２に記載の撮像装置。
【請求項５】
前記第１形状の光学フィルタはガラス製であり、前記第２形状の光学フィルタは樹脂製であることを特徴とする請求項１〜４の何れか一項に記載の撮像装置。
【発明の詳細な説明】
【技術分野】
【０００１】
本発明は、光学レンズと撮像素子の間に赤外線カットフィルタ等の光学フィルタが配設された撮像装置に関する。
【背景技術】
【０００２】
近年、携帯電話機やモバイルコンピュータ等の小型の携帯端末（電子機器）に搭載される撮像装置が開発されている。
撮像装置は、撮像レンズにより結像された被写体像の画像データを取得するための撮像素子として、ＣＣＤ型イメージセンサやＣＭＯＳ型イメージセンサ等を備えている。また、撮像装置には、撮像レンズと撮像素子の間に、可視光を透過させて赤外光をカットする赤外線カットフィルタが位置決めされて搭載されたものもある（例えば、特許文献１及び２参照）。具体的には、赤外線カットフィルタは、撮像素子を被覆する筐体の下筒の内周部から光軸に対して略直交する方向に延在するフランジ部に取り付けられている。
また、撮像装置として、撮像素子に入る光のうち、不要な周波数成分をカットするローパスフィルタを搭載したものも知られている。
【０００３】
赤外線カットフィルタやローパスフィルタとしては、従来、ガラス製のものが用いられていた。ガラス製のフィルタは、温度、湿度や衝撃等の環境変化に対して寛容であり（環境性が優れ）、撮像画像の高画質化を図ることができるという利点がある。
しかしながら、近年、撮像装置が小型の携帯端末に搭載されるようになってきたことから、当該撮像装置の小型化が要求されており、ガラス製のフィルタに比して厚さの薄い樹脂（フィルム）製のものが開発されている。樹脂製のフィルタは、撮像装置の薄型化・小型化に寄与するという利点があるが、温度等の環境の影響を受け易く高温になるとソリが生じて画像に歪みを生じさせるなどガラス製のものに比して環境変化に対する寛容性（環境性）の点で劣ってしまうといった問題がある。
このように、ガラス製のフィルタと樹脂製のフィルタには一長一短があることから、顧客は、製品の性能やサイズやコスト等に応じて何れかを選択するようになっている。即ち、撮像装置の薄型化・小型化（サイズ）に対する要求はさほどないが、撮像画像の高画質化を優先する場合には、ガラス製のフィルタを選択する一方で、撮像画像の高画質化を割り切ってでも撮像装置の薄型化・小型化を優先する場合には、樹脂製のフィルタを選択するようになっている。
【特許文献１】特開２００７−１２１８５４号公報
【特許文献２】特開２００７−１５０９８８号公報
【発明の開示】
【発明が解決しようとする課題】
【０００４】
ところで、赤外線カットフィルタは、その素材によって成形方法が異なっており、具体的には、ガラス製のフィルタは、ダイシングにより成形される一方で、樹脂製のフィルタは、素材が柔らかいことから、金型を用いた型抜きにより成形されるのが一般的となっている。
これにより、ガラス製のフィルタは、略矩形状に成形されるのに対して、樹脂製のフィルタは、さまざまな形状での成形が可能となっている。
【０００５】
しかしながら、樹脂製のフィルタは、成形の自由度が高いと言っても、外形を略矩形状とすると、金型の耐久性が低下してしまい（もちが悪くなり）、また、赤外線コーティング層にヒビが入ってしまうといった問題が生じるため、矩形状の直角部をなくすように角部が面取りされた形状に成形されるのが一般的となっている。
このように、ガラス製のフィルタと樹脂製のフィルタを同一形状とするのは難しいことから、ガラス製のものと樹脂製のものとで形状が異なってしまっている。このため、赤外線カットフィルタを撮像装置に搭載する場合には、ガラス製のフィルタと樹脂製のフィルタの各々に対応させてこれらを個別に取り付けるための専用の取付部材を用意する必要があった。
即ち、取付部材としては、例えば、基板に搭載された撮像素子を受光面側から被覆するセンサ被覆部材だけでなく、撮像素子を光学レンズもろとも被覆するセンサ被覆部が一体となった筐体等が挙げられ、センセ被覆部材や筐体等をさまざまな形状の赤外線カットフィルタに合わせてそれぞれ専用設計する必要が生じていた。しかしながら、専用の取付部材を赤外線カットフィルタの形状に合わせて用意するのは面倒であり、新たな形状の赤外線カットフィルタが開発されるごとに専用に作成するとなると、撮像装置のコストアップを招き、生産効率が低下してしまうこととなる。
【０００６】
そこで、本発明の課題は、さまざまな形状の光学フィルタの取付けを可能として、これにより、部品の種類の削減を図り、コストアップを抑制して生産効率を向上させることができる撮像装置を提供することである。
【課題を解決するための手段】
【０００７】
上記課題を解決するため、請求項１に記載の発明は、
撮像素子と、
前記撮像素子に被写体光を導く光学レンズと、
前記光学レンズと前記撮像素子の間に配設され、前記光学レンズを通過した光のうち、少なくとも一部の光を透過させる光学フィルタと、
前記撮像素子を被覆するように配設された外枠部材とを備え、
前記外枠部材には、四角形をなす第１形状の光学フィルタが配置される第１配置部と、前記第１形状とは異なる第２形状の光学フィルタが配置される第２配置部とが形成されていることを特徴としている。
【０００８】
請求項２に記載の発明は、請求項１に記載の撮像装置において、
前記第２形状は、多角形の少なくとも一の角部が面取りされた形状であることを特徴としている。
【０００９】
ここで、多角形とは、正方形や矩形といった直角四辺形等の内角のすべてが１８０°より小さいような多角形である凸多角形や、十字形等の１８０°より大きい内角を一個以上含む多角形である凹多角形を含んでいる。
また、面取りとは、多角形の角部を直線状若しくは曲線状とすることを言う。
【００１０】
請求項３に記載の発明は、請求項１又は２に記載の撮像装置において、
前記第２配置部は、内側に前記第２形状の光学フィルタの端部を接触させて当該光学フィルタが配置される壁部を具備し、
前記第１配置部は、前記壁部が前記第１形状の光学フィルタの少なくとも一の角部に合わせて切り欠かれた切欠部を具備し、当該切欠部と前記角部を係合させて前記第１形状の光学フィルタが配置されることを特徴としている。
【００１１】
請求項４に記載の発明は、請求項１又は２に記載の撮像装置において、
前記第１配置部は、前記第２配置部に対して段差を付けて当該第２配置部よりも前記撮像素子側に配設されていることを特徴としている。
【００１２】
請求項５に記載の発明は、請求項１〜４の何れか一項に記載の撮像装置において、
前記第１形状の光学フィルタはガラス製であり、前記第２形状の光学フィルタは樹脂製であることを特徴としている。
【発明の効果】
【００１３】
本発明によれば、四角形をなす第１形状の光学フィルタを外枠部材の第１配置部に配置し、一方、第１形状とは異なる第２形状の光学フィルタを外枠部材の第２配置部に配置することで、さまざまな形状の光学フィルタを外枠部材に取付けることができる。従って、第１形状の光学フィルタと第２形状の光学フィルタの各々に対応させてこれらを個別に取り付けるための専用の取付部材を用意する必要がなくなることから、撮像装置の部品の種類の削減を図ることができ、結果として、コストアップを抑制して生産効率を向上させることができる。
【発明を実施するための最良の形態】
【００１４】
以下に、本発明について、図面を用いて具体的な態様を説明する。ただし、発明の範囲は、図示例に限定されない。
図１は、本発明を適用した好適な一実施形態として例示する撮像装置１００の平面図であり、図２は、撮像装置１００の側面図である。また、図３は、図１のIII−III線における撮像装置１００の断面を模式的に示す図である。なお、図３にあっては、レンズユニット５の内部構成を模式的に表している。
以下の説明にあっては、撮像装置１００の光軸方向に沿う方向を上下方向とする。
【００１５】
本実施形態の撮像装置１００は、例えば、図１〜図３に示すように、基板１と、基板１の一面上に配設された撮像素子２と、基板１に取付固定されたセンサカバー３と、センサカバー３に撮像素子２と対向して取付固定された赤外線カットフィルタ４と、センサカバー３に取付固定されたレンズユニット５等を備えている。
【００１６】
基板１は、プリント基板（ＰＷＢ）１１と、このプリント基板１１に接続されたフレキシブル基板１２を備えている。
フレキシブル基板１２は、一端部（例えば、図１における左端部）に外部接続端子１３が接続され、他端部（例えば、図１における右端部）にプリント基板１１が接続されている。
【００１７】
プリント基板１１は、平面視にて略矩形状をなす板状に形成されている。プリント基板１１の一面の所定位置（例えば、図１における中央よりも右側）には、撮像素子２が配設され、この撮像素子２の隣り（例えば、図１における左隣り）に画像処理部６及びメモリ７が配設されている。
【００１８】
撮像素子２は、例えば、ＣＣＤ型イメージセンサやＣＭＯＳ型イメージセンサ等であり、平面視にて略矩形状に形成されている。
撮像素子２の受光側の面の略中央部には、画素が２次元的に配列された光電変換部（撮像領域）２ａが形成され、その周囲には信号処理回路（図示略）が形成されている。信号処理回路は、例えば、各画素を順次駆動し信号電荷を得る駆動回路部と、各信号電荷をデジタル信号に変換するＡ／Ｄ変換部と、このデジタル信号を出力する信号処理部等から構成されている。
撮像素子２の光電変換部２ａの外側であって外縁近傍には、結線用端子であるパッドが複数設けられ、ワイヤＷを介してプリント基板１１に接続されている。そして、信号処理回路から出力された画像信号は、ワイヤＷを介して基板１上の所定の回路に出力される。
【００１９】
また、プリント基板１１の一面には、図４に示すように、センサカバー３の下端部が所定の接着剤Ｇを介して接着されるセンサカバー取付部１４が設けられている。
なお、図４にあっては、センサカバー取付部１４に塗抹された接着剤Ｇをドットにより模式的に表している。
【００２０】
センサカバー取付部１４は、撮像素子２を取り囲むように略「ロ」字状に形成された枠状部１４１を有し、当該枠状部１４１の一部（例えば、図４における下端部）が画像処理部６及びメモリ７側（例えば、図４における左側）に延出されている。枠状部１４１の所定位置には、センサカバー３の基準接地面となる被接地部１４１ａが４つ形成されている。
即ち、センサカバー取付部１４は、センサカバー３が接着固定されることにより、枠状部１４１で撮像素子２を取り囲んで当該基板１とセンサカバー３の下端部の接着部分を全周に亘って封止するようになっている（図３及び図４参照）。
【００２１】
また、センサカバー取付部１４は、画像処理部６及びメモリ７の枠状部１４１と反対側（例えば、図４における左側）に、枠状部１４１と独立してＬ字状に屈曲された屈曲部１４２が設けられている。屈曲部１４２は、プリント基板１１の短手方向（図４における上下方向）に沿って延在して、その一端部（例えば、図４における下端部）が画像処理部６及びメモリ７側（例えば、図４における右側）に屈曲して延出されている。
【００２２】
画像処理部６は、撮像素子２の信号処理部から出力されたデジタル信号に対して所定の画像処理を施すものである。
メモリ７は、撮像素子２の信号処理部から出力されたデジタル信号等の各種データを記憶するものである。
画像処理部６及びメモリ７は、プリント基板１１の短手方向（図４における上下方向）に沿って並んで配設され、図４における上側に画像処理部６が配設され、図４における下側にメモリ７が配設されている。
【００２３】
センサカバー３は、図２及び図３に示すように、プリント基板１１のセンサカバー取付部１４に取付けられることで、撮像素子２、画像処理部６及びメモリ７等を被写体側から被覆するように配設されるものである。具体的には、センサカバー３は、撮像素子２の周囲を被覆する第１被覆部３１と、この第１被覆部３１の画像処理部６及びメモリ７側（図２及び図３における左側）に連続して形成され、画像処理部６及びメモリ７を被写体側から被覆する第２被覆部３２とを具備している。
ここで、センサカバー３は、撮像素子２を被覆するように配設された外枠部材を構成している。
【００２４】
第１被覆部３１は、プリント基板１１から被写体側に起立して、センサカバー取付部１４の枠状部１４１に沿って枠状に形成された側壁部３１１と、側壁部３１１の上端部から内側に延出された上壁部３１２とを備えている。
【００２５】
上壁部３１２は、その略中央部に撮像素子２の光電変換部２ａを露出させる開口部３１２ａが形成され、その周囲に赤外線カットフィルタ４が取り付けられるフィルタ取付部３３が形成され、フィルタ取付部３３の周囲にレンズユニット５が取り付けられるレンズユニット取付部３４が形成されている。
【００２６】
開口部３１２ａは、光電変換部２ａの形状に対応させて略矩形状に形成されている。また、開口部３１２ａの縁部は、例えば、光軸方向に略直交する平面に対して略平行となるように略平坦に形成されている。
【００２７】
フィルタ取付部３３は、図５に示すように、開口部３１２ａの各辺の外側に形成され、所定の接着剤Ｇが塗抹される４つのフィルタ接着部３３２、…と、樹脂製の赤外線カットフィルタ（以下、「樹脂製フィルタ４２」という。図６（ｂ）参照）４が配置される第２配置部３５と、ガラス製の赤外線カットフィルタ（以下、「ガラス製フィルタ４１」という。図６（ａ）参照）４が配置される第１配置部３６等を備えている。
なお、図５、図７及び図８（後述）にあっては、フィルタ接着部３３２に塗抹された接着剤Ｇをドットにより模式的に表している。
【００２８】
ここで、赤外線カットフィルタ４について図６（ａ）及び図６（ｂ）を参照して詳細に説明する。
赤外線カットフィルタ４は、光学レンズ５１と撮像素子２の間に配置され、光学レンズ５１を通過した光のうち、可視光を透過させて赤外光をカットするものである。また、赤外線カットフィルタ４の大きさは、撮像素子２の光電変換部２ａの大きさに合わせて規定されている。即ち、赤外線カットフィルタ４は、光学レンズ５１を通過した光を透過させて撮像素子２に導くのに必要な領域（透過必要領域４ａ）が撮像素子２の光電変換部２ａの大きさに合わせて規定されている。
なお、図６（ａ）及び図６（ｂ）、並びに図７及び図８にあっては、透過必要領域４ａを模式的に破線で表している。
【００２９】
また、赤外線カットフィルタ４には、ダイシングにより成形されたガラス製のもの（図６（ａ）参照）と、金型を用いた型抜きにより成形された樹脂（フィルム）製のもの（図６（ｂ）参照）がある。
【００３０】
ガラス製フィルタ４１は、四角形をなす第１形状の赤外線カットフィルタ４である。本実施形態にあっては、図６（ａ）等に示すように、矩形状に形成されたガラス製フィルタ４１を用いて説明する。
【００３１】
樹脂製フィルタ４２は、第１形状とは異なる第２形状の赤外線カットフィルタ４である。具体的には、樹脂製フィルタ４２は、多角形の少なくとも一の角部が面取りされた形状をなしている。ここで、多角形とは、正方形や矩形といった直角四辺形等の内角のすべてが１８０°より小さいような多角形である凸多角形や、十字形等の１８０°より大きい内角を一個以上含む多角形である凹多角形を含んでいる。面取りとは、多角形の角部を直線状若しくは曲線状とすることを言う。
また、樹脂製フィルタ４２は、金型を用いた型抜きにより成形されるため、平面視にてさまざまな形状での成形が可能となっているが、外形を略矩形状とすると、金型の耐久性が低下してしまい、また、赤外線コーティング層にヒビが入ってしまうといった問題が生じるため、矩形の直角部をなくすように角部が面取りされた形状に成形されるのが一般的となっている。
そこで、本実施形態にあっては、図６（ｂ）に示すように、矩形の各角部が壁部３５１（後述）に沿って円弧状に面取りされた形状に形成された樹脂製フィルタ４２を用いて説明する。
【００３２】
上壁部３１２の略中央部には、上面よりも突出するとともに一部分（例えば、図５における左下部）が破断して逆「Ｃ」字状に形状された周壁部３７が設けられ、その内側に第２配置部３５が形成されている。
【００３３】
第２配置部３５は、第２形状の樹脂製フィルタ４２の外形に対応する形状に形成され、樹脂製フィルタ４２の透過必要領域４ａの外側部分を開口部３１２ａの縁部により下側から支持して、樹脂製フィルタ４２をその長手方向が光電変換部２ａの長手方向に対して略平行に、且つ、短手方向（長手方向の直交方向）が光電変換部２ａの短手方向に対して略平行となるように配置して位置決めする。
具体的には、第２配置部３５は、樹脂製フィルタ４２の４つの面取り部分４２ａ、…の各々及びその両側部分に対応して設けられ、上壁部３１２の上面よりも下側に凹んで上下方向に沿って起立した４つの壁部３５１、…を有している。
【００３４】
４つの壁部３５１、…のうち、３つの壁部３５１、…は、周壁部３７の内面の所定部位に連続して形成され、周壁部３７の一部からなり、円弧状に形成された曲面状壁部３５１ａと、当該曲面状壁部３５１ａを挟むとともに、樹脂製フィルタ４２の短辺部及び長辺部の各々に沿うように延在する横平面状壁部３５１ｂ及び縦平面状壁部３５１ｃを備えている。また、残り一の壁部３５１は、上壁部３１２と開口部３１２ａの縁部を繋ぐ起立面から形成され、曲面状壁部３５１ａと略等しい曲率の円弧状に形成された曲面状壁部３５１ｄと、当該曲面状壁部３５１ｄを挟むとともに、樹脂製フィルタ４２の短辺部及び長辺部の各々に沿うように延在する横平面状壁部３５１ｅ及び縦平面状壁部３５１ｆを備えている。
さらに、４つの壁部３５１、…は、その高さが樹脂製フィルタ４２の厚さよりも高くなっているとともに、隣り合うものどうしで一のフィルタ接着部３３２を挟むように配設されている。即ち、図５にあっては、左上側の壁部３５１は、左側のフィルタ接着部３３２の上端及び上側のフィルタ接着部３３２の左端に連続して形成され、また、左下側の壁部３５１は、左側のフィルタ接着部３３２の下端及び下側のフィルタ接着部３３２の左端に連続して形成され、また、右上側の壁部３５１は、右側のフィルタ接着部３３２の上端及び上側のフィルタ接着部３３２の右端に連続して形成され、また、右下側の壁部３５１は、右側のフィルタ接着部３３２の下端及び下側のフィルタ接着部３３２の右端に連続して形成されている。
【００３５】
従って、赤外線カットフィルタ４として樹脂製フィルタ４２を採用する場合には、第２配置部３５の各壁部３５１に樹脂製フィルタ４２の各面取り部分４２ａ及びその両側部分を接触させるようにして樹脂製フィルタ４２が配置されることで、樹脂製フィルタ４２の縁部分がフィルタ接着部３３２に対向配置された状態となって、接着剤Ｇを介して接着することができる（図７参照）。
【００３６】
第１配置部３６は、ガラス製フィルタ４１の透過必要領域４ａの外側部分を開口部３１２ａの縁部により下側から支持して、ガラス製フィルタ４１をその長手方向が光電変換部２ａの長手方向に対して略平行に、且つ、短手方向（長手方向の直交方向）が光電変換部２ａの短手方向に対して略平行となるように配置して位置決めするものである。
具体的には、第１配置部３６は、ガラス製フィルタ４１の各角部４１ａに対応させて各壁部３５１の曲面状壁部３５１ａ、３５１ｄが光軸方向に沿って切り欠かれた４つの切欠部３６１、…を具備している。
各切欠部３６１は、内側に向けて略９０°の角度をもって開口するように形成されている。即ち、図５にあっては、左上側の壁部３５１には、右下に向けて略９０°の角度をもって開口した切欠部３６１が形成され、また、左下側の壁部３５１は、右上に向けて略９０°の角度をもって開口した切欠部３６１が形成され、また、右上側の壁部３５１は、左下に向けて略９０°の角度をもって開口した切欠部３６１が形成され、また、右下側の壁部３５１は、左上に向けて略９０°の角度をもって開口した切欠部３６１が形成されている。
【００３７】
従って、赤外線カットフィルタ４としてガラス製フィルタ４１を採用する場合には、第１配置部３６の各切欠部３６１にガラス製フィルタ４１の各角部４１ａを係合させるようにしてガラス製フィルタ４１が配置されることで、ガラス製フィルタ４１の縁部分がフィルタ接着部３３２に対向配置された状態となって、接着剤Ｇを介して接着することができる（図８参照）。
【００３８】
フィルタ接着部３３２は、ガラス製フィルタ４１及び樹脂製フィルタ４２に共通して用いられ、当該フィルタを接着剤Ｇにより接着するものである。また、フィルタ接着部３３２は、周壁部３７の内側であって、開口部３１２ａの縁部に沿うように４つ形成されている。さらに、フィルタ接着部３３２は、開口部３１２ａの縁部に連続して形成され、開口部３１２ａの縁部よりも下側に凹むような形状をなしている（図３参照）。
これにより、フィルタ接着部３３２は、赤外線カットフィルタ４の接着に用いられる所定の接着剤Ｇが貯留されて、当該接着剤Ｇを介して開口部３１２ａの縁部により支持される赤外線カットフィルタ４の縁部分を接着する。具体的には、赤外線カットフィルタ４の縁部を４つのフィルタ接着部３３２、…に対向させることで、当該フィルタ接着部３３２に貯留されている接着剤Ｇが赤外線カットフィルタ４の縁部分に接触して接着するとともに、毛細管現象と略同等の作用によって赤外線カットフィルタ４のフィルタ接着部３３２と対向していない部分と開口部３１２ａの縁部との隙間に流れ込むように拡がって赤外線カットフィルタ４の縁部分を全周に亘って封止する。
【００３９】
レンズユニット取付部３４は、図７及び図８に示すように、周壁部３７の外側に形成された３つの第１ユニット接着部３４１、…と、第２被覆部３２が連設された側壁部３１１（図３における左側の側壁部３１１）の上側に形成された長尺な第２ユニット接着部３４２と、レンズユニット５の基準接地面となる４つの被接地部３４３、…とを備えている。
なお、図７及び図８にあっては、第１ユニット接着部３４１及び第２ユニット接着部３４２に塗抹された接着剤Ｇをドットにより模式的に表している。
【００４０】
３つの第１ユニット接着部３４１、…は、周壁部３７の外面に沿うように所定間隔を空けて形成されている。また、第１ユニット接着部３４１は、撮像素子２の収納空間の直上に配置されている。
さらに、第１ユニット接着部３４１は、上壁部３１２の周壁部３７の外側の平面３１２ｂよりも下側に凹むような形状をなし、所定の接着剤Ｇが貯留されるようになっている。
また、３つの第１ユニット接着部３４１、…のうち、何れか一（例えば、図５における右下）の第１ユニット接着部３４１には、レンズユニット５の接着取付けにより閉塞される位置に、当該第１ユニット接着部３４１の内側面に沿って連通孔３４１ａが撮像素子２の収納空間側に貫通させて形成されている。従って、第１ユニット接着部３４１に接着剤Ｇが塗抹される前にあっては、連通孔３４１ａによって撮像素子２の収納空間とセンサカバー３上方の外部とが連通された状態となっている。
【００４１】
第２ユニット接着部３４２は、第２被覆部３２が連設された側壁部３１１の延在方向に沿って長尺に形成され、中央部よりも一端部（図７及び図８における下端部）側が撮像素子２側に突出された形状をなしている。
さらに、第２ユニット接着部３４２は、上壁部３１２の周壁部３７の外側の平面３１２ｂよりも下側に凹むような形状をなし、所定の接着剤Ｇが貯留されるようになっている。
【００４２】
従って、第１ユニット接着部３４１及び第２ユニット接着部３４２に、レンズユニット５の接着に用いられる所定の接着剤Ｇを貯留させ、当該接着剤Ｇを介してレンズユニット５の鏡胴５３を接着する。
これにより、第１ユニット接着部３４１に形成された連通孔３４１ａをレンズユニット５の接着と同時に閉塞して、撮像素子２の収納空間を密閉状態とすることができる。
【００４３】
第２被覆部３２は、第１被覆部３１の側壁部３１１と接続された接続部３２１と、この接続部３２１に連続して形成され、平面視にて略矩形状をなす天面部３２２と、この天面部３２２に連続して形成された３つの側面部３２３、…を有し、全体として画像処理部６及びメモリ７を被写体側から被覆する箱型に形成されている。
プリント基板１１の長手方向に沿って配設された２つの側面部３２３、３２３のうち、メモリ７側の側面部３２３には、メモリ７を外部に露出させるメモリ用開口部３２３ａが形成され、また、画像処理部６側の側面部３２３には、画像処理部６を外部に露出させる画像処理部用開口部３２３ｂが形成されている。
【００４４】
レンズユニット５は、撮像素子２に被写体光を導く光学レンズ５１と、光学レンズ５１を光軸方向に移動させるレンズ駆動部５２と、光学レンズ５１及びレンズ駆動部５２を搭載する鏡胴５３と、鏡胴５３を被覆するカバー部材５４を備えている。
【００４５】
光学レンズ５１は、レンズホルダ５５に保持されている。
なお、光学レンズ５１は、一枚のレンズから構成されても良いし、複数枚のレンズから構成されても良い。
【００４６】
レンズ駆動部５２は、ズーミングやフォーカシングを行うために光学レンズ５１を光軸方向に移動させるためのものであり、例えば、図示は省略するが、圧電素子等の駆動源と、駆動源の駆動力を光学レンズ５１に伝達して光軸方向に移動させる動力伝達機構等を備えている。
【００４７】
鏡胴５３は、外形が略直方体状に形成されるとともに、光軸方向に沿って被写体側と撮像素子２側が連通されてなり、内側に光学レンズ５１及びレンズ駆動部５２が搭載されている。また、鏡胴５３は、その下端部に、センサカバー３の第１ユニット接着部３４１及び第２ユニット接着部３４２に接着される第１接着部（図示略）及び第２接着部５３１と、センサカバー３の４つの被接地部３４３、…に接地する接地部（図示略）を備えている。
そして、センサカバー３の４つの被接地部３４３、…に接地部を接地させるとともに、第１ユニット接着部３４１に第１接着部を所定の接着剤Ｇを用いて接着させ、且つ、第２ユニット接着部３４２に第２接着部５３１を所定の接着剤Ｇを用いて接着させることで、センサカバー３にレンズユニット５が接着固定された状態となる。
【００４８】
また、鏡胴５３の下端部よりもわずかに上側の部分には、レンズ駆動部５２が取付固定される駆動部取付部５３２が形成されている。
駆動部取付部５３２は、当該鏡胴５３の下端部よりもわずかに上側の部分から内側に先端部が周壁部３７の外面に接触する位置まで突出して形成されている。
【００４９】
カバー部材５４は、鏡胴５３を被写体側から被覆するように形成され、上端面に光学レンズ５１を被写体側に露出させる開口部５４ａが形成されている（図２及び図３参照）。
開口部５４ａの周囲には、図２及び図３に示すように、マスク５６が配設されている。なお、図１にあっては、マスクの図示は省略している。
【００５０】
従って、本実施形態の撮像装置１００によれば、センサカバー３には、矩形の各角部が円弧状に面取りされた形状の樹脂製フィルタ４２が配置される第２配置部３５と、略矩形状の樹脂製フィルタ４２が配置される第１配置部３６が形成されている。即ち、第２配置部３５は、内側に樹脂製フィルタ４２の面取り部分４２ａを接触させて当該樹脂製フィルタ４２が配置される４つの壁部３５１、…を具備し、第１配置部３６は、壁部３５１がガラス製フィルタ４１の各角部４１ａに合わせて切り欠かれ、当該各角部４１ａを係合させてガラス製フィルタ４１が配置される切欠部３６１を具備している。
これにより、樹脂製フィルタ４２を第２配置部３５に配置し、一方、ガラス製フィルタ４１を第１配置部３６に配置することで、さまざまな形状の赤外線カットフィルタ４をセンサカバー３に取付けることができる。従って、樹脂製フィルタ４２とガラス製フィルタ４１の各々に対応させてこれらを個別に取り付けるための専用の取付部材を用意する必要がなくなることから、当該撮像装置１００の部品の種類の削減を図ることができ、結果として、コストアップを抑制して生産効率を向上させることができる。
【００５１】
なお、本発明は、上記実施形態に限定されることなく、本発明の趣旨を逸脱しない範囲において、種々の改良並びに設計の変更を行っても良い。
以下に、撮像装置の変形例について説明する。
【００５２】
＜変形例１＞
図９（ａ）及び図９（ｂ）は、変形例１の撮像装置２００の断面を模式的に示す図である。なお、図９（ａ）及び図９（ｂ）にあっては、レンズユニット５の図示は省略している。
変形例１の撮像装置２００は、図９（ａ）及び図９（ｂ）に示すように、樹脂製フィルタ４２が配置される第２配置部２３５に対して段差を付けて当該第２配置部２３５よりも撮像素子２側に、ガラス製フィルタ４１が配置される第１配置部２３６が配設されたセンサカバー２０３を備えている。
ここで、センサカバー２０３は、撮像素子２を被覆するように配設された外枠部材を構成している。
【００５３】
第１配置部２３６は、光軸方向に略直交する平面に対して略平行に延在してガラス製フィルタ４１を支持する第２支持面部２３６ａと、この第２支持面部２３６ａの外端部から上側に光軸方向と略平行に起立して形成された第２内壁面部２３６ｂとを備えている。第２内壁面部２３６ｂの高さは、ガラス製フィルタ４１と樹脂製フィルタ４２の厚さの差と略等しくなっている。
そして、第１配置部２３６にガラス製フィルタ４１が第２支持面部２３６ａにより支持されるように配置されることで、当該ガラス製フィルタ４１が位置決めされた状態となる。
【００５４】
第２配置部２３５は、第２内壁面部２３６ｂの上端部から外側に光軸方向に略直交する平面に対して略平行に延在して樹脂製フィルタ４２を支持する第１支持面部２３５ａと、この第１支持面部２３５ａの外端部から上側に光軸方向と略平行に起立して形成された第１内壁面部２３５ｂとを備えている。
そして、第２配置部２３５に樹脂製フィルタ４２が第１支持面部２３５ａにより支持されるように配置されることで、当該樹脂製フィルタ４２が位置決めされた状態となる。このとき、第１配置部２３６の第２内壁面部２３６ｂの高さがガラス製フィルタ４１と樹脂製フィルタ４２の厚さの差と略等しくなっているため、樹脂製フィルタ４２の上面から撮像素子２までの距離とガラス製フィルタ４１の上面から撮像素子２までの距離と略等しくすることができる。
【００５５】
従って、センサカバー３には、樹脂製フィルタ４２が配置される第２配置部２３５に対して段差を付けて当該第２配置部２３５よりも撮像素子２側に、ガラス製フィルタ４１が配置される第１配置部２３６が配設されているので、樹脂製フィルタ４２に比して厚さの厚いガラス製フィルタ４１を採用した場合における撮像素子２までの距離をより短くすることができる。
【００５６】
なお、上記変形例１にあっては、第２内壁面部２３６ｂの高さをガラス製フィルタ４１と樹脂製フィルタ４２の厚さの差と略等しくなるようにしたが、これに限られるものではなく、第２内壁面部２３６ｂの高さは適宜任意に変更することができ、ガラス製フィルタ４１と樹脂製フィルタ４２の厚さの差よりも高くしても良いし低くしても良い。
【００５７】
＜変形例２＞
図１０は、変形例２の撮像装置３００の断面を模式的に示す図である。
変形例２の撮像装置３００は、図１０に示すように、撮像素子２を被覆するとともに光学レンズ５１を被覆する外枠部材３０３を備えている。
即ち、外枠部材３０３は、上記実施形態の撮像装置１００に係るセンサカバー３と鏡胴５３を一体として成形したものであり、具体的には、センサカバー３における第１被覆部３１の上端と鏡胴５３の下端を連結するようにして構成されている。
また、外枠部材３０３には、鏡胴５３に対応する部分を被覆するようにカバー部材５４及びマスク５６が配設されている。
【００５８】
従って、一の外枠部材３０３で撮像素子２と光学レンズ５１の両方を被覆することができるので、当該撮像装置３００の部品点数を削減することができ、コストアップを抑制することができる。また、生産工程を削減することができるので、当該撮像装置３００の生産効率の向上にも寄与することができる。
【００５９】
なお、上記実施形態にあっては、光学フィルタとしては、赤外線カットフィルタ４を例示して説明したが、これに限られるものではなく、光学レンズ５１を通過した光のうち、少なくとも一部の光を透過させるフィルタであれば如何なるものであっても良く、例えば、撮像素子２に入る光のうち、不要な周波数成分をカットするローパスフィルタであっても良い。
【００６０】
また、上記実施形態にあっては、ガラス製の赤外線カットフィルタ４として、矩形状に形成されたものを例示したが、これに限られるものではなく、四角形状であれば如何なるものであっても良く、例えば、正方形であっても良いし、直角四辺形以外の角部が９０度でない四角形であっても良い。
さらに、樹脂製の赤外線カットフィルタ４として、矩形の各角部が壁部３５１に沿って円弧状に面取りされた形状のものを例示したが、これに限られるものではなく、例えば、各角部を直線状に面取りされた形状のものであっても良い。さらに、矩形の４つ全ての角部を面取りする必要はなく、少なくとも一の角部が面取りされた形状であれば良い。
加えて、樹脂製の赤外線カットフィルタは、四角形をなす第１形状と異なる第２形状であれば如何なる形状のものであっても良い。例えば、図１１（ａ）に示すように、円形の両側を切断面どうしが略平行となるようにＤカットしてなる形状の赤外線カットフィルタ４０１であっても良いし、図１１（ｂ）に示すように、矩形の各角部が円弧状に丸められた形状の赤外線カットフィルタ４０２であっても良いし、図１１（ｃ）に示すように、十字形をなす１２角形の各角部が円弧状に丸められた形状の赤外線カットフィルタ４０３であっても良いし、図１１（ｄ）に示すように、外縁部から内側に切り欠かれるように溝部が形成され、当該溝部と外縁部の接続部分及び溝部の各角部が円弧状に丸められた形状の赤外線カットフィルタ４０４であっても良い。なお、これらは、第２形状の赤外線カットフィルタの一例であって、上記したものに限定されるものではない。
【００６１】
また、第２形状の赤外線カットフィルタ４を樹脂製としたが、当該フィルタの材料はこれに限られるものではなく、如何なるものであっても良い。同様に、第１形状の赤外線カットフィルタ４をガラス製としたが、当該フィルタの材料はこれに限られるものではなく、如何なるものであっても良い。
【００６２】
また、上記実施形態にあっては、３つの第１ユニット接着部３４１、…のうち、何れか一の第１ユニット接着部３４１に連通孔３４１ａを形成するようにしたが、これに限られるものではなく、３つの第１ユニット接着部３４１、…のうち、何れか２つの第１ユニット接着部３４１、３４１に連通孔３４１ａを形成しても良いし、３つの第１ユニット接着部３４１、…の全てに連通孔３４１ａを形成しても良い。さらに、センサカバー３に第１ユニット接着部３４１を３つ設けるようにしたが、第１ユニット接着部３４１の数は適宜任意に変更することができ、この場合にあっても同様に、連通孔３４１ａの数は適宜任意に変更することができ、連通孔３４１ａは少なくとも何れか一の第１ユニット接着部３４１に形成されていれば良い。
【００６３】
さらに、上記実施形態にあっては、ズーミングやフォーカシングを行うためのレンズ駆動部５２を備えるようにしたが、これに限られるものではなく、レンズ駆動部５２を備えるか否かは適宜任意に変更することができる。
【００６４】
加えて、撮像装置１００、２００、３００の構成は、上記実施形態に例示したものは一例であり、これに限られるものではない。
【図面の簡単な説明】
【００６５】
【図１】本発明を適用した好適な一実施形態として例示する撮像装置の平面図である。
【図２】図１の撮像装置の側面図である。
【図３】図１のIII−III線における撮像装置の断面を模式的に示す図である。
【図４】図１の撮像装置からレンズユニットとセンサカバーを取り外した状態を示す平面図である。
【図５】図４の撮像装置の基板にセンサカバーを取り付けた状態を示す平面図である。
【図６】図５のセンサカバーに取り付けられる赤外線カットフィルタを示す平面図である。
【図７】図５の撮像装置のセンサカバーに赤外線カットフィルタを取り付けた状態の一例を示す平面図である。
【図８】図５の撮像装置のセンサカバーに赤外線カットフィルタを取り付けた状態の一例を示す平面図である。
【図９】変形例１の撮像装置の断面を模式的に示す図である。
【図１０】変形例２の撮像装置の断面を模式的に示す図である。
【図１１】赤外線カットフィルタの変形例を示す図である。
【符号の説明】
【００６６】
１００、２００、３００  撮像装置
１      基板
２      撮像素子
３、２０３  センサカバー（外枠部材）
３５、２３５  第２配置部
３５１  壁部
３６、２３６  第１配置部
３６１  切欠部
３０３  外枠部材
４      赤外線カットフィルタ
４１    ガラス製フィルタ
４１ａ  角部
４２、４０１、４０２、４０３、４０４  樹脂製フィルタ
４２ａ  面取り部分
５      レンズユニット
５１    光学レンズ
５３    鏡胴
【図１】
2009164724.tif 000003
【図２】
2009164724.tif 000004
【図３】
2009164724.tif 000005
【図４】
2009164724.tif 000006
【図５】
2009164724.tif 000007
【図６】
2009164724.tif 000008
【図７】
2009164724.tif 000009
【図８】
2009164724.tif 000010
【図９】
2009164724.tif 000011
【図１０】
2009164724.tif 000012
【図１１】
2009164724.tif 000013